(57)【要約】【課題】印刷しない画像データに対しても課金される。【解決手段】印刷用画像を印刷する印刷装置の識別情報に対応付けて印刷用画像およびサムネイルを格納する画像格納サーバから印刷用画像を取得し、取得した印刷用画像を印刷装置に送信する移動体端末であって、画像格納サーバから取得すべき印刷用画像または印刷用画像のサムネイルを指定する入力を受け付ける入力受付部と、画像格納サーバから印刷用画像またはサムネイルを受信するネットワーク送受信部と、印刷装置から識別情報を受信する近距離送受信部とを備え、ネットワーク送受信部は、印刷用画像を指定する入力が受け付けられた場合に、印刷用画像を要求する、識別情報を含む画像送信要求を画像格納サーバに送信するとともに、画像格納サーバから識別情報に対応付けられた印刷用画像を受信し、印刷装置に送信する。【選択図】図２
2008217372.tif 000002
【特許請求の範囲】
【請求項１】
印刷用画像を印刷する印刷装置の識別情報に対応付けて前記印刷用画像および前記サムネイルを格納する画像格納サーバから前記印刷用画像を取得し、取得した前記印刷用画像を前記印刷装置に送信する移動体端末であって、
前記画像格納サーバから取得すべき前記印刷用画像または前記印刷用画像のサムネイルを指定する入力を、表示画面を介して受け付ける入力受付部と、
前記印刷用画像または前記サムネイルを要求する画像送信要求を、ネットワークを介して前記画像格納サーバに送信するとともに、前記画像格納サーバから前記印刷用画像または前記サムネイルを受信するネットワーク送受信部と、
前記印刷装置の前記識別情報を要求する識別情報要求を、近距離無線通信を用いて前記印刷装置に送信するとともに、前記印刷装置から前記識別情報を受信する近距離送受信部と
を備え、
前記ネットワーク送受信部は、前記入力受付部により前記サムネイルを指定する入力が受け付けられた場合に、前記サムネイルを要求する前記画像送信要求を前記画像格納サーバに送信するとともに、前記画像格納サーバから前記サムネイルを受信し、
前記ネットワーク送受信部は、前記ネットワーク送受信部により受信されて前記表示画面に表示されている前記サムネイルの前記印刷用画像を指定する入力が前記入力受付部により受け付けられた場合に、前記印刷用画像を要求する前記画像送信要求を前記画像格納サーバに送信するとともに、前記画像格納サーバから前記印刷用画像を受信し、
前記近距離送受信部は、前記ネットワーク送受信部により前記画像格納サーバから受信された前記印刷用画像を前記印刷装置に送信する移動体端末。
【請求項２】
前記近距離送受信部は、前記ネットワーク送受信部により受信されて前記表示画面に表示されている前記サムネイルの前記印刷用画像を指定する入力が前記入力受付部により受け付けられた場合に、前記ネットワーク送受信部が前記画像送信要求を前記画像格納サーバに送信するのに先立って、前記識別情報要求を前記印刷装置に送信するとともに、前記印刷装置から前記識別情報を受信し、
前記ネットワーク送受信部は、前記近距離送受信部により前記印刷装置から前記識別情報を受信した場合に、前記画像送信要求を前記画像格納サーバに送信し、前記画像格納サーバから前記識別情報に対応付けられた前記印刷用画像を受信する請求項１に記載の移動体端末。
【請求項３】
前記移動体端末は、さらに、前記識別情報を格納する識別情報格納部を備え、
前記入力受付部は、前記識別情報格納部に格納された前記識別情報に応じて異なる、前記印刷用画像の印刷設定画面を前記表示画面に表示することにより、前記画像格納サーバから受信した前記印刷用画像の印刷の設定の入力を受け付ける請求項１に記載の移動体端末。
【請求項４】
前記移動体端末は、さらに、前記識別情報を格納する識別情報格納部を備え、
前記入力受付部は、前記画像格納サーバが格納している前記印刷用画像のリストを前記画像格納サーバから取得すべき旨の入力を、表示画面を介して受け付け、
前記ネットワーク送受信部は、前記入力受付部により前記リストを取得すべき旨の入力が受け付けられた場合に、前記識別情報格納部に格納された前記識別情報を含むリスト送信要求を前記画像格納サーバに送信することにより、前記リスト送信要求に含まれる前記識別情報に対応付けられた前記印刷用画像の前記リストを受信し、
前記入力受付部は、前記ネットワーク送受信部により前記リストが受信された場合に、前記リストに含まれる前記印刷用画像を一覧により表示する一覧画面を表示することにより、前記サムネイルを指定する入力を受け付ける請求項１に記載の移動体端末。
【請求項５】
前記近距離送受信部は、前記入力受付部が前記リストを取得すべき旨の入力を受け付けた後であって、前記ネットワーク送受信部が前記リスト送信要求を前記画像格納サーバに送信する前に、前記印刷装置から前記識別情報を受信して、前記識別情報格納部に格納する請求項３に記載の移動体端末。
【請求項６】
印刷用画像を印刷する印刷装置の識別情報に対応付けて前記印刷用画像および前記サムネイルを格納する画像格納サーバと、前記画像格納サーバから前記印刷用画像を取得する移動体端末と、前記移動体端末により取得された前記印刷用画像を印刷用紙に印刷する印刷装置とを備える印刷システムであって、
前記移動体端末は、
前記画像格納サーバから取得すべき前記印刷用画像または前記印刷用画像のサムネイルを指定する入力を、表示画面を介して受け付ける入力受付部と、
前記印刷用画像または前記サムネイルを要求する画像送信要求を、ネットワークを介して前記画像格納サーバに送信するとともに、前記画像格納サーバから前記印刷用画像または前記サムネイルを受信する移動体ネットワーク送受信部と、
前記印刷装置の前記識別情報を要求する識別情報要求を、近距離無線通信を用いて前記印刷装置に送信するとともに、前記印刷装置から前記識別情報を受信する近距離送受信部と
を有し、
前記画像格納サーバは、
前記識別情報に対応付けて前記印刷用画像および前記サムネイルを格納する画像格納部と、
前記移動体端末から前記画像送信要求を受信するサーバネットワーク送受信部と
を有し、
前記移動体ネットワーク送受信部は、前記入力受付部により前記サムネイルを指定する入力が受け付けられた場合に、前記サムネイルを要求する前記画像送信要求を前記サーバネットワーク送受信部に送信し、
前記サーバネットワーク送受信部は、前記移動体ネットワーク送受信部から前記サムネイルを要求する前記画像送信要求を受信した場合に、前記画像格納部に格納された前記サムネイルを前記移動体ネットワーク送受信部に送信し、
前記入力受付部は、前記移動体ネットワーク送受信部により受信された前記サムネイルを前記表示画面に表示し、
前記移動体ネットワーク送受信部は、前記ネットワーク送受信部により受信されて前記表示画面に表示されている前記サムネイルの前記印刷用画像を指定する入力が前記入力受付部により受け付けられた場合に、前記印刷用画像を要求する前記画像送信を前記サーバネットワーク送受信部に送信し、
前記サーバネットワーク送受信部は、前記移動体ネットワーク送受信部から前記印刷用画像を要求する前記画像送信要求を受信した場合に、前記画像格納部に格納された前記印刷用画像を前記移動体ネットワーク送受信部に送信し、
前記近距離送受信部は、さらに、前記移動体ネットワーク送受信部により受信された前記印刷用画像を前記印刷装置に送信する印刷システム。
【請求項７】
前記近距離送受信部は、前記入力受付部により前記表示画面に表示されている前記サムネイルの前記印刷用画像を指定する入力が受け付けられた場合に、前記移動体ネットワーク送受信部が前記画像送信要求を前記サーバネットワーク送受信部に送信するのに先立って、前記識別情報要求を前記印刷装置に送信するとともに、前記印刷装置から前記識別情報を受信し、
前記移動体ネットワーク送受信部は、前記近距離送受信部により前記識別情報が受信された場合に、前記印刷用画像を要求する前記画像送信要求であって、前記識別情報を含む前記画像送信要求を前記サーバネットワーク送受信部に送信し、
前記サーバネットワーク送受信部は、前記移動体ネットワーク送受信部から前記印刷用画像を要求する前記画像送信要求を受信した場合に、前記画像送信要求に含まれる前記識別情報に対応付けて前記画像格納部に格納された前記印刷用画像を前記移動体ネットワーク送受信部に送信する請求項１に記載のシステム。
【請求項８】
前記移動体端末は、さらに、前記識別情報を格納する識別情報格納部を備え、
前記入力受付部は、前記画像格納部に格納されている前記印刷用画像のリストを取得すべき旨の入力を、表示画面を介して受け付け、
前記移動体ネットワーク送受信部は、前記入力受付部により前記リストを取得すべき旨の入力が受け付けられた場合に、前記識別情報格納部に格納された前記識別情報を含むリスト送信要求を前記サーバネットワーク送受信部に送信し、
前記サーバネットワーク送受信部は、
前記移動体ネットワーク送受信部から前記識別情報を含むリスト送信要求を受信した場合に、前記リスト送信要求に含まれる前記識別情報に対応付けて前記画像格納部に格納された前記印刷用画像を抽出し、抽出された前記印刷用画像の前記リストを前記移動体ネットワーク送受信部に送信し、
前記入力受付部は、前記移動体ネットワーク送受信部により前記リストが受信された場合に、前記リストに含まれる前記印刷用画像を一覧により表示する一覧画面を表示することにより、前記サムネイルを指定する入力を受け付ける請求項５に記載の印刷システム。
【請求項９】
印刷用画像を印刷する印刷装置の識別情報に対応付けて前記印刷用画像および前記サムネイルを格納する画像格納サーバから前記印刷用画像を取得し、取得した前記印刷用画像を前記印刷装置に送信する移動体端末を用いた印刷方法であって、
前記画像格納サーバから取得すべき前記印刷用画像または前記印刷用画像のサムネイルを指定する入力を、表示画面を介して受け付ける入力受付手順と、
前記印刷用画像または前記サムネイルを要求する画像送信要求を、ネットワークを介して前記画像格納サーバに送信するとともに、前記画像格納サーバから前記印刷用画像または前記サムネイルを受信するネットワーク送受信手順と、
前記印刷装置の前記識別情報を要求する識別情報要求を、近距離無線通信を用いて前記印刷装置に送信するとともに、前記印刷装置から前記識別情報を受信する近距離送受信手順と
を備え、
前記ネットワーク送受信手順は、前記入力受付手順により前記サムネイルを指定する入力が受け付けられた場合に、前記サムネイルを要求する前記画像送信要求を前記画像格納サーバに送信するとともに、前記画像格納サーバから前記サムネイルを受信し、
前記ネットワーク送受信手順は、前記ネットワーク送受信手順により受信されて前記表示画面に表示されている前記サムネイルの前記印刷用画像を指定する入力が前記入力受付手順により受け付けられた場合に、前記印刷用画像を要求する前記画像送信要求を前記画像格納サーバに送信するとともに、前記画像格納サーバから前記印刷用画像を受信し、
前記近距離送受信手順は、前記ネットワーク送受信手順により前記画像格納サーバから受信された前記印刷用画像を前記印刷装置に送信する印刷方法。
【請求項１０】
印刷用画像を印刷する印刷装置の識別情報に対応付けて前記印刷用画像および前記サムネイルを格納する画像格納サーバから前記印刷用画像を取得し、取得した前記印刷用画像を前記印刷装置に送信する移動体端末を制御するプログラムであって、
前記移動体端末は、
前記画像格納サーバから取得すべき前記印刷用画像または前記印刷用画像のサムネイルを指定する入力を、表示画面を介して受け付ける入力受付部と、
前記印刷用画像または前記サムネイルを要求する画像送信要求を、ネットワークを介して前記画像格納サーバに送信するとともに、前記画像格納サーバから前記印刷用画像または前記サムネイルを受信するネットワーク送受信部と、
前記印刷装置の前記識別情報を要求する識別情報要求を、近距離無線通信を用いて前記印刷装置に送信するとともに、前記印刷装置から前記識別情報を受信する近距離送受信部と
を備え、
前記プログラムは、
前記入力受付部により前記サムネイルを指定する入力が受け付けられた場合に、前記サムネイルを要求する前記画像送信要求を前記画像格納サーバに送信するとともに、前記画像格納サーバから前記サムネイルを受信する手順を前記ネットワーク送受信部に実行させ、
前記ネットワーク送受信部により受信されて前記表示画面に表示されている前記サムネイルの前記印刷用画像を指定する入力が前記入力受付部により受け付けられた場合に、前記印刷用画像を要求する前記画像送信要求を前記画像格納サーバに送信するとともに、前記画像格納サーバから前記印刷用画像を受信する手順を前記ネットワーク送受信部に実行させ、
前記ネットワーク送受信部により前記画像格納サーバから受信された前記印刷用画像を前記印刷装置に送信する手順を前記近距離送受信部に実行させるプログラム。
【発明の詳細な説明】
【技術分野】
【０００１】
本発明は、移動体端末、印刷システム、印刷方法およびプログラムに関する。特に、本発明は、画像格納サーバから印刷用画像を取得する移動体端末、印刷システム、印刷方法およびプログラムに関する。
【背景技術】
【０００２】
子機に取り込まれた画像データを、無線通信手段により親機に送信し、親機に内蔵された印刷装置にて印刷する電話機が知られている（例えば、特許文献１参照）。
【特許文献１】特開２００５−３４８０８５号公報
【発明の開示】
【発明が解決しようとする課題】
【０００３】
しかしながら、上記特許文献においては、子機に画像データを取り込んでから子機で画像を確認して親機に送信するかどうかを選択する。よって、上記特許文献においては、親機への転送が不要な画像データを取り込むことになる。特に、上記特許文献を画像データごとに課金をする有料サービスに用いようとすると、親機で印刷しない画像データに対しても課金されるという不具合が生じる。
【課題を解決するための手段】
【０００４】
上記課題を解決するために、本発明の第１の形態においては、印刷用画像を印刷する印刷装置の識別情報に対応付けて印刷用画像およびサムネイルを格納する画像格納サーバから印刷用画像を取得し、取得した印刷用画像を印刷装置に送信する移動体端末であって、画像格納サーバから取得すべき印刷用画像または印刷用画像のサムネイルを指定する入力を、表示画面を介して受け付ける入力受付部と、印刷用画像またはサムネイルを要求する画像送信要求を、ネットワークを介して画像格納サーバに送信するとともに、画像格納サーバから印刷用画像またはサムネイルを受信するネットワーク送受信部と、印刷装置の識別情報を要求する識別情報要求を、近距離無線通信を用いて印刷装置に送信するとともに、印刷装置から識別情報を受信する近距離送受信部とを備え、ネットワーク送受信部は、入力受付部によりサムネイルを指定する入力が受け付けられた場合に、サムネイルを要求する画像送信要求を画像格納サーバに送信するとともに、画像格納サーバからサムネイルを受信し、ネットワーク送受信部は、ネットワーク送受信部により受信されて表示画面に表示されているサムネイルの印刷用画像を指定する入力が入力受付部により受け付けられた場合に、印刷用画像を要求する画像送信要求を画像格納サーバに送信するとともに、画像格納サーバから印刷用画像を受信し、近距離送受信部は、ネットワーク送受信部により画像格納サーバから受信された印刷用画像を印刷装置に送信する。これにより、サムネイルで内容を確認した場合に印刷用画像を移動体端末に送信するので、不必要な印刷用画像を送信する不具合を避けることができる。
【０００５】
上記移動体端末において、近距離送受信部は、ネットワーク送受信部により受信されて表示画面に表示されているサムネイルの印刷用画像を指定する入力が入力受付部により受け付けられた場合に、ネットワーク送受信部が画像送信要求を画像格納サーバに送信するのに先立って、識別情報要求を印刷装置に送信するとともに、印刷装置から識別情報を受信し、ネットワーク送受信部は、近距離送受信部により印刷装置から識別情報を受信した場合に、画像送信要求を画像格納サーバに送信し、画像格納サーバから識別情報に対応付けられた前記印刷用画像を受信してもよい。これにより、移動体端末から印刷装置に画像データを送信する直前において当該印刷装置を特定することができる。さらに、画像データを印刷しようとする印刷装置に最適な画像データをサーバから取得して印刷装置に送信することができる。例えば、解像度、色合いなどが異なる、同一の内容の画像データのなかから、印刷装置の種類に応じた最適な画像データを取得して送信することができる。
【０００６】
移動体端末は、さらに、識別情報を格納する識別情報格納部を備え、入力受付部は、識別情報格納部に格納された識別情報に応じて異なる、印刷用画像の印刷設定画面を表示画面に表示することにより、画像格納サーバから受信した印刷用画像の印刷の設定の入力を受け付けてもよい。これにより、画像データを印刷しようとする印刷装置に応じた印刷の設定をすることができる。
【０００７】
移動体端末は、さらに、識別情報を格納する識別情報格納部を備え、入力受付部は、画像格納サーバが格納している印刷用画像のリストを画像格納サーバから取得すべき旨の入力を、表示画面を介して受け付け、ネットワーク送受信部は、入力受付部によりリストを取得すべき旨の入力が受け付けられた場合に、識別情報格納部に格納された識別情報を含むリスト送信要求を画像格納サーバに送信することにより、リスト送信要求に含まれる識別情報に対応付けられた印刷用画像のリストを受信し、入力受付部は、ネットワーク送受信部によりリストが受信された場合に、リストに含まれる印刷用画像を一覧により表示する一覧画面を表示することにより、サムネイルを指定する入力を受け付けてもよい。これにより、印刷装置に応じた画像データの一覧情報を取得して、印刷装置に応じた画像データを容易に取得することができる。
【０００８】
近距離送受信部は、入力受付部がリストを取得すべき旨の入力を受け付けた後であって、ネットワーク送受信部がリスト送信要求を画像格納サーバに送信する前に、印刷装置から識別情報を受信して、識別情報格納部に格納してもよい。これにより、画像データを印刷しようとする印刷装置に応じた画像データの一覧情報を取得して、印刷装置に応じた画像データを容易に取得することができる。
【０００９】
上記課題を解決するために、本発明の第２の形態においては、印刷用画像を印刷する印刷装置の識別情報に対応付けて印刷用画像およびサムネイルを格納する画像格納サーバと、画像格納サーバから印刷用画像を取得する移動体端末と、移動体端末により取得された印刷用画像を印刷用紙に印刷する印刷装置とを備える印刷システムであって、移動体端末は、画像格納サーバから取得すべき印刷用画像または印刷用画像のサムネイルを指定する入力を、表示画面を介して受け付ける入力受付部と、印刷用画像またはサムネイルを要求する画像送信要求を、ネットワークを介して画像格納サーバに送信するとともに、画像格納サーバから印刷用画像またはサムネイルを受信する移動体ネットワーク送受信部と、印刷装置の識別情報を要求する識別情報要求を、近距離無線通信を用いて印刷装置に送信するとともに、印刷装置から識別情報を受信する近距離送受信部とを有し、画像格納サーバは、識別情報に対応付けて印刷用画像およびサムネイルを格納する画像格納部と、移動体端末から画像送信要求を受信するサーバネットワーク送受信部とを有し、移動体ネットワーク送受信部は、入力受付部によりサムネイルを指定する入力が受け付けられた場合に、サムネイルを要求する画像送信要求をサーバネットワーク送受信部に送信し、サーバネットワーク送受信部は、移動体ネットワーク送受信部からサムネイルを要求する画像送信要求を受信した場合に、画像格納部に格納されたサムネイルを移動体ネットワーク送受信部に送信し、入力受付部は、移動体ネットワーク送受信部により受信されたサムネイルを表示画面に表示し、移動体ネットワーク送受信部は、ネットワーク送受信部により受信されて表示画面に表示されているサムネイルの印刷用画像を指定する入力が入力受付部により受け付けられた場合に、印刷用画像を要求する画像送信をサーバネットワーク送受信部に送信し、サーバネットワーク送受信部は、移動体ネットワーク送受信部から印刷用画像を要求する画像送信要求を受信した場合に、画像格納部に格納された印刷用画像を移動体ネットワーク送受信部に送信し、近距離送受信部は、さらに、移動体ネットワーク送受信部により受信された印刷用画像を印刷装置に送信する。これにより、第１の形態と同一の効果を得ることができる。
【００１０】
上記システムにおいて、近距離送受信部は、入力受付部により表示画面に表示されているサムネイルの印刷用画像を指定する入力が受け付けられた場合に、移動体ネットワーク送受信部が画像送信要求をサーバネットワーク送受信部に送信するのに先立って、識別情報要求を印刷装置に送信するとともに、印刷装置から識別情報を受信し、移動体ネットワーク送受信部は、近距離送受信部により識別情報が受信された場合に、印刷用画像を要求する画像送信要求であって、識別情報を含む画像送信要求をサーバネットワーク送受信部に送信し、サーバネットワーク送受信部は、移動体ネットワーク送受信部から印刷用画像を要求する画像送信要求を受信した場合に、画像送信要求に含まれる識別情報に対応付けて画像格納部に格納された印刷用画像を移動体ネットワーク送受信部に送信してもよい。これにより、第１の形態と同一の効果を得ることができる。
【００１１】
前記移動体端末は、さらに、前記識別情報を格納する識別情報格納部を備え、前記入力受付部は、前記画像格納部に格納されている前記印刷用画像のリストを取得すべき旨の入力を、表示画面を介して受け付け、前記移動体ネットワーク送受信部は、前記入力受付部により前記リストを取得すべき旨の入力が受け付けられた場合に、前記識別情報格納部に格納された前記識別情報を含むリスト送信要求を前記サーバネットワーク送受信部に送信し、前記サーバネットワーク送受信部は、前記移動体ネットワーク送受信部から前記識別情報を含むリスト送信要求を受信した場合に、前記リスト送信要求に含まれる前記識別情報に対応付けて前記画像格納部に格納された前記印刷用画像を抽出し、抽出された前記印刷用画像の前記リストを前記移動体ネットワーク送受信部に送信し、前記入力受付部は、前記移動体ネットワーク送受信部により前記リストが受信された場合に、前記リストに含まれる前記印刷用画像を一覧により表示する一覧画面を表示することにより、前記サムネイルを指定する入力を受け付けてもよい。これにより、第１の形態と同一の効果を得ることができる。
【００１２】
上記課題を解決するために、本発明の第３の形態においては、印刷用画像を印刷する印刷装置の識別情報に対応付けて印刷用画像およびサムネイルを格納する画像格納サーバから印刷用画像を取得し、取得した印刷用画像を印刷装置に送信する移動体端末を用いた印刷方法であって、画像格納サーバから取得すべき印刷用画像または印刷用画像のサムネイルを指定する入力を、表示画面を介して受け付ける入力受付手順と、印刷用画像またはサムネイルを要求する画像送信要求を、ネットワークを介して画像格納サーバに送信するとともに、画像格納サーバから印刷用画像またはサムネイルを受信するネットワーク送受信手順と、印刷装置の識別情報を要求する識別情報要求を、近距離無線通信を用いて印刷装置に送信するとともに、印刷装置から識別情報を受信する近距離送受信手順とを備え、ネットワーク送受信手順は、入力受付手順によりサムネイルを指定する入力が受け付けられた場合に、サムネイルを要求する画像送信要求を画像格納サーバに送信するとともに、画像格納サーバからサムネイルを受信し、ネットワーク送受信手順は、ネットワーク送受信手順により受信されて表示画面に表示されているサムネイルの印刷用画像を指定する入力が入力受付手順により受け付けられた場合に、印刷用画像を要求する画像送信要求を画像格納サーバに送信するとともに、画像格納サーバから印刷用画像を受信し、近距離送受信手順は、ネットワーク送受信手順により画像格納サーバから受信された印刷用画像を印刷装置に送信する。これにより、第１の形態と同一の効果を得ることができる。これにより、第１の形態と同一の効果を得ることができる。
【００１３】
上記課題を解決するために、本発明の第４の形態においては、印刷用画像を印刷する印刷装置の識別情報に対応付けて印刷用画像およびサムネイルを格納する画像格納サーバから印刷用画像を取得し、取得した印刷用画像を印刷装置に送信する移動体端末を制御するプログラムであって、移動体端末は、印刷用画像またはサムネイルを要求する画像送信要求を、ネットワークを介して画像格納サーバに送信するとともに、画像格納サーバから印刷用画像またはサムネイルを受信するネットワーク送受信部と、印刷装置の識別情報を要求する識別情報要求を、近距離無線通信を用いて印刷装置に送信するとともに、印刷装置から識別情報を受信する近距離送受信部とを備え、プログラムは、入力受付部によりサムネイルを指定する入力が受け付けられた場合に、サムネイルを要求する画像送信要求を画像格納サーバに送信するとともに、画像格納サーバからサムネイルを受信する手順をネットワーク送受信部に実行させ、ネットワーク送受信部により受信されて表示画面に表示されているサムネイルの印刷用画像を指定する入力が入力受付部により受け付けられた場合に、印刷用画像を要求する画像送信要求を画像格納サーバに送信するとともに、画像格納サーバから印刷用画像を受信する手順をネットワーク送受信部に実行させ、ネットワーク送受信部により画像格納サーバから受信された印刷用画像を印刷装置に送信する手順を近距離送受信部に実行させる。これにより、第１の形態と同一の効果を得ることができる。
【００１４】
なお、上記の発明の概要は、本発明の必要な特徴の全てを列挙したものではなく、これらの特徴群のサブコンビネーションもまた、発明となりうる。
【発明を実施するための最良の形態】
【００１５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１６】
図１は、印刷システム１０の一例を示す。印刷システム１０は、画像格納サーバの一例であるサーバ３０と移動体端末２０と印刷装置の一例であるプリンタ４０とを備える。サーバ３０は、プリンタを識別する識別情報に対応付けて印刷用の画像（以下、「印刷用画像」という。）および印刷用画像のサムネイルを格納する。サーバ３０は、例えば、インターネット上に設置される。
【００１７】
移動体端末２０は、ディスプレイ２４および操作パネル２６を備える。移動体端末２０は、例えば、携帯電話であって、無線アクセスネットワークおよびコアネットワーク上のゲートウェイを介してサーバ３０から印刷用画像およびサムネイルを取得する。移動体端末２０は、取得した印刷用画像をプリンタ４０に送信する。近距離無線通信の一例は、赤外線を利用するＩｒＤＡ（Ｉｎｆｒａｒｅｄ  Ｄａｔａ  Ａｓｓｏｃｉａｔｉｏｎ）、２．４５ＧＨｚ帯の電波を利用するブルートゥース（Ｂｌｕｅｔｏｏｔｈ）などである。
【００１８】
プリンタ４０は、本体４２とディスプレイ４４と操作パネル４６とを備え、移動体端末２０から受信した印刷用画像を印刷用紙に印刷する。
【００１９】
図２は、移動体端末２０、サーバ３０、プリンタ４０のブロック図の一例を示す。図３（ａ）から図３（ｇ）は、画面格納部２６０に格納された情報の一例を示す。図２に示すように、移動体端末２０は、入力受付部２００、移動体ネットワーク送受信部２１０、移動体近距離送受信部２２０、識別情報格納部２５０および画面格納部２６０を備える。サーバ３０は、サーバネットワーク送受信部３１０および画像格納部３５０を備える。プリンタ４０は、プリンタ近距離送受信部４２０、印刷部４３０および識別情報格納部４５０を備える。
【００２０】
移動体端末２０の画面格納部２６０は、移動体端末２０のディスプレイ２４に表示するページを格納する。図３に示す例において移動体端末２０の画面格納部２６０は、印刷システム１０の初期画面であるメニューページの一例として図３（ａ）に示すページを格納する。また移動体端末２０の画面格納部２６０は、サーバ３０が格納している印刷用画像のリストをサーバ３０から取得すべき旨の入力を受け付けるページの一例として図３（ｂ）に示すページを格納する。また移動体端末２０の画面格納部２６０は、リストに含まれる印刷用画像を一覧により表示するページ、および、サーバ３０から取得すべきサムネイルを指定する入力を受け付けるページの一例として図３（ｃ）に示すページを格納する。また移動体端末２０の画面格納部２６０は、サーバ３０から取得したサムネイルを表示するページの一例として図３（ｄ）に示すページを格納する。また移動体端末２０の画面格納部２６０は、印刷用画像の印刷の設定の入力を受け付けるページの一例として図３（ｅ）に示すページを格納する。また移動体端末２０の画面格納部２６０は、サムネイルに対応する印刷用画像の印刷を開始する入力を受け付けるページの一例として図３（ｆ）に示すページを格納する。また移動体端末２０の画面格納部２６０は、プリンタ４０により印刷用画像が受信された旨を表示するページの一例として図３（ｇ）に示すページを格納する。
【００２１】
移動体端末２０の入力受付部２００は、サーバ３０が格納している印刷用画像のリストをサーバ３０から取得すべき旨の入力をユーザから受け付ける。例えば、移動体端末２０の入力受付部２００は、図３（ｂ）に示すページにおいて「リストを要求」が押されることにより、上記リストをサーバ３０から取得すべき旨の入力を受け付ける。なお、移動体端末２０の入力受付部２００は、図３（ａ）に示すページにおいて「画像リストを取得する」が押されたときに、図３（ｂ）に示すページを表示する。
【００２２】
移動体端末２０の入力受付部２００は、後述するように、移動体端末２０の移動体ネットワーク送受信部２１０がサーバ３０から印刷用画像のリストを受信した場合に、リストに含まれる印刷用画像を一覧により表示する。例えば、移動体端末２０の入力受付部２００は、図３（ｃ）に示すページにおいて、リストに含まれる印刷用画像の画像名を一覧により表示する。
【００２３】
移動体端末２０の入力受付部２００は、サーバ３０から取得すべきサムネイルを指定する入力を受け付ける。例えば、図３（ｃ）に示すページにおいて画像名が選択されることにより、サムネイルを指定する入力を受け付ける。
【００２４】
移動体端末２０の入力受付部２００は、後述するように、移動体端末２０の移動体ネットワーク送受信部２１０がサーバ３０からサムネイルを受信した場合に、当該サムネイルを表示する。例えば、移動体端末２０の入力受付部２００は、図３（ｄ）に示すページにおいて、当該サムネイルを表示する。
【００２５】
移動体端末２０の入力受付部２００は、印刷用画像の印刷の設定の入力を受け付ける。例えば、移動体端末２０の入力受付部２００は、図３（ｅ）に示すページにおいて「変更」が押されることにより、印刷用画像の印刷の設定の入力を受け付ける。なお、移動体端末２０の入力受付部２００は、図３（ｄ）に示すページにおいて「次へ」が押されたときに、図３（ｅ）に示すページを表示する。また、移動体端末２０の入力受付部２００は、プリンタの識別情報に応じて異なる、印刷用画像の印刷の設定の入力を受け付けるページを表示することが好ましい。
【００２６】
移動体端末２０の入力受付部２００は、サーバ３０から取得すべき印刷用画像を指定する入力を受け付ける。例えば、移動体端末２０の入力受付部２００は、図３（ｃ）に示すページにおいてサムネイルが指定され、当該サムネイルに対応する印刷用画像についての図３（ｆ）に示すページにおいて「印刷の開始」が押されることにより、当該サムネイルに対応する印刷用画像をサーバ３０から取得すべき印刷用画像として指定する入力を受け付ける。なお、移動体端末２０の入力受付部２００は、図３（ｅ）に示すページにおいて「次へ」が押されたときに、図３（ｆ）に示すページを表示する。
【００２７】
移動体端末２０の入力受付部２００は、プリンタ４０により印刷用画像が受信された旨を表示する。例えば、移動体端末２０の入力受付部２００は、図３（ｇ）に示すページにおいて、プリンタ４０により印刷用画像が受信された旨を表示する。
【００２８】
移動体端末２０の移動体近距離送受信部２２０は、プリンタ４０の識別情報を要求する識別情報要求を、プリンタ４０のプリンタ近距離送受信部４２０に送信する。移動体近距離送受信部２２０は、識別情報要求に対する応答として、プリンタ４０のプリンタ近距離送受信部４２０から識別情報を受信する。また、移動体端末２０の移動体近距離送受信部２２０は、後述するように、移動体端末２０の移動体ネットワーク送受信部２１０により受信された印刷用画像をプリンタ４０のプリンタ近距離送受信部４２０に近距離無線通信を用いて送信する。
【００２９】
移動体端末２０の識別情報格納部２５０は、プリンタ４０の識別情報を格納する。例えば、移動体端末２０の移動体近距離送受信部２２０により受信されたプリンタ４０の識別情報を格納する。
【００３０】
移動体端末２０の移動体ネットワーク送受信部２１０は、入力受付部２００により印刷用画像のリストを取得すべき旨の入力が受け付けられた場合に、リスト送信要求をサーバ３０のサーバネットワーク送受信部３１０に送信する。リスト送信要求は、識別情報を含むことが好ましい。これにより、プリンタの種類に応じた印刷用画像の一覧情報を表示するので、プリンタの種類に応じた印刷用画像を容易に取得することができる。また、移動体端末２０の移動体ネットワーク送受信部２１０は、リスト送信要求に対する応答として、サーバ３０のサーバネットワーク送受信部３１０から印刷用画像のリストを受信する。
【００３１】
また、移動体端末２０の移動体ネットワーク送受信部２１０は、印刷用画像またはサムネイルを要求する画像送信要求を、ネットワークを介してサーバ３０のサーバネットワーク送受信部３１０に送信する。具体的には、移動体端末２０の移動体ネットワーク送受信部は、入力受付部２００によりサムネイルを指定する入力が受け付けられた場合に、サムネイルを要求する画像送信要求をサーバ３０のサーバネットワーク送受信部３１０に送信する。一方、移動体端末２０の移動体ネットワーク送受信部は、入力受付部２００により印刷用画像を指定する入力が受け付けられた場合に、移動体近距離送受信部２２０により識別情報が受信されたときは、印刷用画像を要求する画像送信要求であって、識別情報を含む画像送信要求をサーバ３０のサーバネットワーク送受信部３１０に送信する。すなわち移動体端末２０の移動体ネットワーク送受信部は、入力受付部２００により印刷用画像を指定する入力が受け付けられた場合には、まず識別情報を取得して、取得した識別情報を含む画像送信要求をサーバ３０のサーバネットワーク送受信部３１０に送信する。移動体端末２０の移動体ネットワーク送受信部２１０は、画像送信要求に対する応答として、サーバ３０のサーバネットワーク送受信部３１０から印刷用画像またはサムネイルを受信する。
【００３２】
サーバ３０の画像格納部３５０は、プリンタの識別情報に対応付けて印刷用画像およびサムネイルを格納する。例えば、同一の内容の画像データについて、プリンタの識別情報に対応付けて解像度、色合いなどが異なる、複数種類の画像データを格納する。
【００３３】
サーバ３０のサーバネットワーク送受信部３１０は、移動体端末２０の移動体ネットワーク送受信部２１０からリスト送信要求を受信する。サーバ３０のサーバネットワーク送受信部３１０は、識別情報を含むリスト送信要求を受信したときは、リスト送信要求に含まれる識別情報に対応付けて画像格納部３５０に格納された印刷用画像を抽出し、抽出された印刷用画像のリストを移動体端末２０の移動体ネットワーク送受信部に送信する。
【００３４】
また、サーバ３０のサーバネットワーク送受信部３１０は、移動体端末２０の移動体ネットワーク送受信部２１０から画像送信要求を受信する。サーバ３０のサーバネットワーク送受信部３１０は、画像送信要求に対する応答として、画像格納部３５０に格納された印刷用画像またはサムネイルを移動体端末２０の移動体ネットワーク送受信部２１０に送信する。具体的には、サーバ３０のサーバネットワーク送受信部３１０は、移動体端末２０の移動体ネットワーク送受信部２１０からサムネイルを要求する画像送信要求を受信した場合に、画像格納部３５０に格納されたサムネイルを移動体端末２０の移動体ネットワーク送受信部２１０に送信し、移動体端末２０の移動体ネットワーク送受信部２１０から印刷用画像を要求する画像送信要求を受信した場合に、画像送信要求に含まれる識別情報に対応付けて画像格納部３５０に格納された印刷用画像を移動体端末２０の移動体ネットワーク送受信部２１０に送信する。
【００３５】
プリンタ４０の識別情報格納部４５０は、プリンタ４０の識別情報を納部する。プリンタ４０のプリンタ近距離送受信部４２０は、移動体端末２０の移動体近距離送受信部２２０から識別情報要求を受信する。プリンタ４０のプリンタ近距離送受信部４２０は、識別情報要求に対する応答として、識別情報格納部４５０に格納された識別情報を移動体端末２０の移動体近距離送受信部２２０に送信する。また、プリンタ４０のプリンタ近距離送受信部４２０は、移動体端末２０の移動体近距離送受信部２２０から印刷用画像を受信する。プリンタ４０の印刷部４３０は、印刷用画像を印刷用紙に出力することにより印刷する。
【００３６】
なお、移動体端末２０は、ネットワークを介して、入力受付部２００の動作を実行するソフトウェアを取得してもよい。また、移動体端末２０は、ネットワークを介して、入力受付部２００により表示される上記ページを取得して画面格納部２６０に格納してもよい。
【００３７】
図４は、印刷システム１０の動作の一例を示すフローチャートである。本フローチャートは、移動体端末２０の入力受付部２００が、サーバ３０が格納している印刷用画像のリストをサーバ３０から取得すべき旨の入力を受け付けることにより開始する（Ｓ２００）。なお、本フローチャートの左側はサーバ３０の動作を、中央は移動体端末２０の動作を、右側はプリンタ４０の動作を示す。また、本フローチャートに開始時において、移動体端末２０の画面格納部２６０は、図３に示す各ページを格納しているものとする。
【００３８】
移動体端末２０の入力受付部２００は、リストを取得すべき旨の入力を受け付けた旨を移動体端末２０の移動体近距離送受信部２２０に通知する。移動体端末２０の移動体近距離送受信部２２０は、識別情報要求をプリンタ４０のプリンタ近距離送受信部４２０に送信する（Ｓ２０５）。プリンタ４０のプリンタ近距離送受信部４２０は、識別情報要求に対する応答として、識別情報格納部４５０に格納された識別情報を移動体端末２０の移動体近距離送受信部２２０に送信する（Ｓ４００）。移動体端末２０の移動体近距離送受信部２２０は、受信した識別情報を、移動体端末２０の入力受付部２００に受け渡す。移動体端末２０の入力受付部２００は、受け渡された識別情報を移動体端末２０の識別情報格納部２５０に格納するとともに、ステップＳ２００においてリストを取得すべき旨の入力を受け付けた旨を移動体端末２０の移動体ネットワーク送受信部２１０に通知する。
【００３９】
移動体端末２０の移動体ネットワーク送受信部２１０は、移動体端末２０の識別情報格納部２５０に格納された識別情報を取得し、当該識別情報を含むリスト送信要求をサーバ３０のサーバネットワーク送受信部３１０に送信する（Ｓ２１０）。
【００４０】
サーバ３０のサーバネットワーク送受信部３１０は、リスト送信要求に含まれる識別情報に対応付けて画像格納部３５０に格納された印刷用画像を抽出する（Ｓ３００）。サーバ３０のサーバネットワーク送受信部３１０は、抽出された印刷用画像のリストを移動体端末２０の移動体ネットワーク送受信部に送信する（Ｓ３１０）。移動体端末２０の移動体ネットワーク送受信部２１０は、受信した印刷用画像のリストを移動体端末２０の入力受付部２００に受け渡す。
【００４１】
移動体端末２０の入力受付部２００は、受け渡されたリストに含まれる印刷用画像を一覧により表示する（Ｓ２１５）。例えば、移動体端末２０の入力受付部２００は、「アイドルＡ」「アイドルＢ」「風景Ｃ」などを含む印刷用画像のリストを受け渡された場合には、図３（ｃ）に示す、リストに含まれる印刷用画像を一覧により表示するページを表示する（同ステップ）。これにより、画像用画像を印刷しようとするプリンタ４０に応じた印刷用画像の一覧情報を表示するので、プリンタ４０の種類に応じた印刷用画像を容易に取得することができる。
【００４２】
移動体端末２０の入力受付部２００は、サーバ３０から取得すべきサムネイルを指定する入力を受け付ける（Ｓ２２０）。例えば、移動体端末２０の入力受付部２００は、図３（ｃ）に示す、サーバ３０から取得すべきサムネイルを指定する入力を受け付けるページによりサーバ３０から取得すべきサムネイルを指定する入力を受け付ける（同ステップ）。移動体端末２０の入力受付部２００は、ステップＳ２２０においてサムネイルを指定する入力を受け付けた旨、および、指定を受け付けたサムネイルを特定する情報を移動体端末２０の移動体ネットワーク送受信部２１０に通知する。なお、サムネイルを特定する情報は、例えばファイル名などであってもよい。
【００４３】
移動体端末２０の移動体ネットワーク送受信部２１０は、当該サムネイルを要求する画像送信要求をサーバ３０のサーバネットワーク送受信部３１０に送信する（Ｓ２２５）。
【００４４】
サーバ３０のサーバネットワーク送受信部３１０は、画像格納部３５０に格納された当該サムネイルを移動体端末２０の移動体ネットワーク送受信部２１０に送信する（Ｓ３２０）。移動体端末２０の移動体ネットワーク送受信部２１０は、受信したサムネイルを移動体端末２０の入力受付部２００に受け渡す。
【００４５】
移動体端末２０の入力受付部２００は、受け渡されたサムネイルを表示する（Ｓ２３０）。例えば、ステップＳ２２０において移動体端末２０の入力受付部２００は、サムネイル「アイドルＡ」を指定する入力を受け付けていた場合には、図３（ｄ）に示す、サーバ３０から取得したサムネイルを表示するページを表示する（同ステップ）。
【００４６】
移動体端末２０の入力受付部２００は、識別情報格納部２５０に格納されている識別情報を取得して、印刷用画像の印刷の設定の入力を受け付けるページを表示する（Ｓ２３５）。例えば、移動体端末２０の入力受付部２００が図３（ｄ）に示すページを表示している場合に、図３（ｄ）に示すページにおいて「次へ」が押されたときに、図３（ｅ）に示す、印刷用画像の印刷の設定の入力を受け付けるページを表示する（同ステップ）。
【００４７】
移動体端末２０の入力受付部２００は、さらに、サムネイルに対応する印刷用画像の印刷を開始する入力を受け付けるページを表示する。例えば、移動体端末２０の入力受付部２００は、図３（ｅ）に示すページにおいて「次へ」が押されたときに、図３（ｆ）に示す、サムネイルに対応する印刷用画像の印刷を開始する入力を受け付けるページを表示する。
【００４８】
移動体端末２０の入力受付部２００は、サーバ３０から取得すべき印刷用画像を指定する入力を受け付ける（Ｓ２４０）。例えば、図３（ｆ）に示すページにおいて「印刷の開始」が押されることにより、当該サムネイルに対応する印刷用画像をサーバ３０から取得すべき印刷用画像として指定する入力を受け付ける（同ステップ）。移動体端末２０の入力受付部２００は、サーバ３０から取得すべき印刷用画像を指定する入力を受け付けた旨を移動体端末２０の移動体近距離送受信部２２０に通知する。
【００４９】
移動体端末２０の移動体近距離送受信部２２０は、識別情報要求をプリンタ４０のプリンタ近距離送受信部４２０に送信する（Ｓ２４５）。プリンタ４０のプリンタ近距離送受信部４２０は、識別情報要求に対する応答として、識別情報格納部４５０に格納された識別情報を移動体端末２０の移動体近距離送受信部２２０に送信する（Ｓ４１０）。移動体端末２０の移動体近距離送受信部２２０は、受信した識別情報を移動体端末２０の入力受付部２００に受け渡す。移動体端末２０の入力受付部２００は、受け渡された識別情報を移動体端末２０の識別情報格納部２５０に格納するとともに、ステップＳ２４０において印刷用画像を指定する入力を受け付けた旨、および、指定を受け付けた印刷用画像を特定する情報を移動体端末２０の移動体ネットワーク送受信部２１０に通知する。なお、印刷用画像を特定する情報は、例えばファイル名などであってもよい。
【００５０】
移動体端末２０の移動体ネットワーク送受信部２１０は、移動体端末２０の識別情報格納部２５０に格納された識別情報を取得し、当該識別情報およびユーザ情報を含む、当該印刷用画像を要求する画像送信要求をサーバ３０のサーバネットワーク送受信部３１０に送信する（Ｓ２５０）。なお、ユーザ情報は、移動体端末２０または移動体端末２０の使用者を特定する情報であって、例えば、ＭＳＩＳＤＮ（Ｍｏｂｉｌｅ  Ｓｕｂｓｃｒｉｂｅｒ  ＩＳＤＮ  Ｎｕｍｂｅｒ）、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）などでよい。
【００５１】
サーバ３０のサーバネットワーク送受信部３１０は、画像送信要求に含まれる識別情報に対応付けて画像格納部３５０に格納された印刷用画像を移動体端末２０の移動体ネットワーク送受信部２１０に送信する（Ｓ３３０）。移動体端末２０の移動体ネットワーク送受信部２１０は、受信した印刷用画像を、移動体端末２０の入力受付部２００を介して、移動体端末２０の移動体近距離送受信部２２０に受け渡す。
【００５２】
移動体端末２０の移動体近距離送受信部２２０は、受け渡された印刷用画像をプリンタ４０のプリンタ近距離送受信部４２０に送信する（Ｓ２５５）。プリンタ４０のプリンタ近距離送受信部４２０は、プリンタ４０により印刷用画像が受信された旨を示す完了情報を移動体端末２０の移動体近距離送受信部２２０に送信する（Ｓ４２０）。プリンタ４０のプリンタ近距離送受信部４２０は、また、受信した印刷用画像をプリンタ４０の印刷部４３０に受け渡す。プリンタ４０のプリンタ近距離送受信部４２０は、受け渡された印刷用画像を印刷用紙に出力することにより印刷する（Ｓ４３０）。
【００５３】
移動体端末２０の移動体近距離送受信部２２０は、受信した完了情報を移動体端末２０の入力受付部２００に受け渡す。移動体端末２０の入力受付部２００は、完了情報をサーバ３０のサーバネットワーク送受信部３１０に送信する（Ｓ２６０）。また、移動体端末２０の入力受付部２００は、プリンタ４０により印刷用画像が受信された旨を表示する（Ｓ２６５）。具体的には、図３（ｇ）に示す、プリンタ４０により印刷用画像が受信された旨を表示するページを表示する（同ステップ）。
【００５４】
サーバ３０のサーバネットワーク送受信部３１０は、完了情報を受信した旨を非図示の課金部に通知する。課金部は、ステップＳ２５０において受信したユーザ情報に対応付けて、ステップＳ３３０において送信した印刷用画像の送信の対価を課金する（Ｓ３４０）。そして本フローチャートは終了する。
【００５５】
以上、本フローチャートによれば、プリンタ４０に最適な画像データを取得して印刷することができる。例えば、解像度、色合いなどが異なる、同一の内容の画像データのなかから、プリンタ４０の種類に応じた最適な画像データを取得して印刷することができる。また、本フローチャートにおいて、移動体端末２０は、リストを取得する直前に加えて、印刷用画像を取得する直前、すなわち印刷用画像を印刷する直前に、識別情報要求を取得しているが、これにより、送信相手であるプリンタ４０を確実に特定することができる。さらに、リスト取得時に識別情報を取得したプリンタ４０と異なる種類のプリンタ４０で印刷しようとする場合に、その印刷しようとするプリンタ４０に最適な印刷用画像を取得することができる。
【００５６】
なお、本フローチャートにおいて、移動体端末２０は、リストを取得する直前に、識別情報要求を取得しているが（ステップＳ２０５、Ｓ４００）、これを省略してもよい。一例として、移動体端末２０の入力受付部２００は、ステップＳ２００に続いて、識別情報格納部２５０に前回取得時に格納した識別情報を取得し、当該識別情報を含むリスト送信要求をサーバ３０のサーバネットワーク送受信部３１０に送信する（Ｓ２１０）。また他の一例として、移動体端末２０の入力受付部２００は、ステップＳ２００に続いて、識別情報を取得することなく、識別情報を含まないリスト送信要求をサーバ３０のサーバネットワーク送受信部３１０に送信してもよい（Ｓ２１０）。
【００５７】
なお、本実施例において、移動体端末２０は画面格納部２６０を備え、移動体端末２０の入力受付部２００は、画面格納部２６０に格納されたページを表示したが、これに限定されない。一例として、サーバ３０がこれらのページの全てまたは一部を格納し、移動体端末２０の入力受付部２００は、サーバ３０からこれらのページを取得して表示してもよい。なお、サーバ３０は、印刷用画像の印刷の設定の入力を受け付けるページを格納する場合には、プリンタの識別情報に対応付けて印刷用画像の印刷の設定の入力を受け付けるページを格納することが好ましい。これにより、移動体端末２０の移動体ネットワーク送受信部２１０が、識別情報を含む、当該画面要求をサーバ３０に送信することにより、印刷用画像を印刷しようとするプリンタの種類に応じた印刷設定画面を取得して、プリンタの種類に応じた印刷の設定をすることができる。
【００５８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５９】
【図１】印刷システム１０の一例を示す。
【図２】移動体端末２０、サーバ３０、プリンタ４０のブロック図の一例を示す。
【図３】画面格納部２６０に格納された情報の一例を示す。
【図４】印刷システム１０の動作の一例を示すフローチャートである。
【符号の説明】
【００６０】
１０  印刷システム、２０  移動体端末、２４  ディスプレイ、２６  操作パネル、３０  サーバ、４０  プリンタ、４２  本体、４４  ディスプレイ、４６  操作パネル、２００  入力受付部、２１０  移動体ネットワーク送受信部、２２０  移動体近距離送受信部、２５０  識別情報格納部、２６０  画面格納部、３１０  サーバネットワーク送受信部、３５０  画像格納部、４２０  プリンタ近距離送受信部、４３０  印刷部、４５０  識別情報格納部
【図１】
2008217372.tif 000003
【図２】
2008217372.tif 000004
【図３】
2008217372.tif 000005
【図４】
2008217372.tif 000006